(57)【要約】【課題】炭化水素を回収する際に土砂が生産井に流入することを抑制する。【解決手段】炭酸カルシウムの析出を促進させるための二酸化炭素又は硫酸イオンを生成する微生物が存在する海底地盤に設けられた生産井から、炭化水素を含有する生産流体を回収する炭化水素回収方法であって、微生物が二酸化炭素又は硫酸イオンの生成に用いる組成物を前記生産井に圧入する圧入工程と、組成物を圧入した後に前記生産井内を減圧する減圧工程と、生産井内を減圧した状態で炭化水素を回収する回収工程と、を有する。【選択図】図１
2019011612.tif 000002
【特許請求の範囲】
【請求項１】
炭酸カルシウムの析出を促進させるための二酸化炭素又は硫酸イオンを生成する微生物が存在する海底地盤に設けられた生産井から、炭化水素を含有する生産流体を回収する炭化水素回収方法であって、
前記微生物が二酸化炭素又は硫酸イオンの生成に用いる組成物を前記生産井に圧入する圧入工程と、
前記組成物を圧入した後に前記生産井内を減圧する減圧工程と、
前記生産井内を減圧した状態で炭化水素を回収する回収工程と、
を有することを特徴とする炭化水素回収方法。
【請求項２】
前記圧入工程において、前記生産井に設けられた開口を介して、前記海底地盤に前記組成物を圧入することを特徴とする、
請求項１に記載の炭化水素回収方法。
【請求項３】
前記圧入工程において、前記組成物として尿素を圧入することを特徴とする、
請求項１又は２に記載の炭化水素回収方法。
【請求項４】
前記圧入工程を実行してから、前記海底地盤に存在するカルシウム塩とウレアーゼ活性を有する前記微生物が前記尿素を加水分解して生成される二酸化炭素とが反応することにより炭酸カルシウムが析出するために要する時間が経過した後に、前記減圧工程を実行することを特徴とする、
請求項３に記載の炭化水素回収方法。
【請求項５】
前記圧入工程において、前記組成物としてチオ硫酸塩を圧入することを特徴とする、
請求項１又は２に記載の炭化水素回収方法。
【請求項６】
前記圧入工程を実行してから、前記海底地盤に存在するメタンと前記チオ硫酸塩に基づいて前記微生物が生成した硫酸イオンとが反応して生成された炭酸イオンと、前記海底地盤に存在するカルシウム塩とが反応することにより炭酸カルシウムが生成されるために要する時間が経過した後に、前記減圧工程を実行することを特徴とする、
請求項５に記載の炭化水素回収方法。
【請求項７】
前記圧入工程において、前記微生物の栄養となる栄養塩をさらに圧入することを特徴とする、
請求項１から６のいずれか一項に記載の炭化水素回収方法。
【請求項８】
前記圧入工程において、カルシウム塩をさらに圧入することを特徴とする、
請求項１から７のいずれか一項に記載の炭化水素回収方法。
【請求項９】
前記組成物に基づいて二酸化炭素又は硫酸イオンを生成する微生物を前記生産井に圧入する微生物圧入工程をさらに有することを特徴とする、
請求項１から８のいずれか一項に記載の炭化水素回収方法。
【請求項１０】
前記微生物圧入工程を実行する前に、前記生産井から回収される水が存在する嫌気環境下で、前記生産井に圧入する微生物を培養する工程をさらに有することを特徴とする、
請求項９に記載の炭化水素回収方法。
【請求項１１】
前記減圧工程を実行した後に、前記圧入工程を再び実行することを特徴とする、
請求項１から１０のいずれか一項に記載の炭化水素回収方法。
【請求項１２】
前記回収工程において単位時間内に回収される前記炭化水素の量が閾値未満である場合に、前記圧入工程を再び実行することを特徴とする、
請求項１１に記載の炭化水素回収方法。
【請求項１３】
前記減圧工程は、
前記海底地盤内の微生物を前記生産井の側に移動させるための第１減圧工程と、
前記第１減圧工程の後に実行され、前記海底地盤内のメタンハイドレートを回収するための第２減圧工程と、
を有することを特徴とする、
請求項１から１２のいずれか一項に記載の炭化水素回収方法。
【請求項１４】
前記圧入工程において、前記生産井の内部をアルカリ性にした状態で前記組成物を圧入することを特徴とする、
請求項１から１３のいずれか一項に記載の炭化水素回収方法。
【請求項１５】
炭酸カルシウムの析出を促進させるための二酸化炭素又は硫酸イオンを生成する微生物が存在する海底地盤に設けられた生産井から、炭化水素を含有する生産流体を回収する炭化水素回収システムであって、
前記微生物が二酸化炭素又は硫酸イオンの生成に用いる組成物を前記生産井に圧入する圧入部と、
前記組成物を圧入した後に前記生産井内を減圧する減圧部と、
前記生産井内を減圧した状態で炭化水素を回収する回収部と、
を有することを特徴とする炭化水素回収システム。
【発明の詳細な説明】
【技術分野】
【０００１】
本発明は、炭化水素回収方法及び炭化水素回収システムに関する。
【背景技術】
【０００２】
従来、地下に埋蔵された炭化水素を含む組成物を回収する技術が知られている。特許文献１には、海底からメタンハイドレートを回収する技術が開示されている。
【先行技術文献】
【特許文献】
【０００３】
【特許文献１】特開２０１６−９８５９８号公報
【発明の概要】
【発明が解決しようとする課題】
【０００４】
海底地盤から炭化水素を含む組成物を回収すると、回収した組成物が存在していた領域に空洞が生じることで海底地盤が崩れてしまい、炭化水素の生産井に土砂が流れ込んでしまうという出砂問題が生じていた。生産井に土砂が流れ込んでしまうと、生産井が閉塞されてしまい、炭化水素を回収できなくなってしまう。そこで、土砂が生産井に流入することを防ぐ方策が求められていた。
【０００５】
そこで、本発明はこれらの点に鑑みてなされたものであり、炭化水素を回収する際に土砂が生産井に流入することを抑制するための炭化水素回収方法及び炭化水素回収システムを提供することを目的とする。
【課題を解決するための手段】
【０００６】
本発明の第１の態様の炭化水素回収方法は、炭酸カルシウムの析出を促進させるための二酸化炭素又は硫酸イオンを生成する微生物が存在する海底地盤に設けられた生産井から、炭化水素を含有する生産流体を回収する炭化水素回収方法である。この炭化水素回収方法は、前記微生物が二酸化炭素又は硫酸イオンの生成に用いる組成物を前記生産井に圧入する圧入工程と、前記組成物を圧入した後に前記生産井内を減圧する減圧工程と、前記生産井内を減圧した状態で炭化水素を回収する回収工程と、を有する。
【０００７】
前記炭化水素回収方法は、前記圧入工程において、例えば、前記生産井に設けられた開口を介して、前記海底地盤に前記組成物を圧入する。前記圧入工程において、前記組成物として尿素を圧入してもよい。
【０００８】
前記圧入工程を実行してから、前記海底地盤に存在するカルシウム塩とウレアーゼ活性を有する前記微生物が前記尿素を加水分解して生成される二酸化炭素とが反応することにより炭酸カルシウムが析出するために要する時間が経過した後に、前記減圧工程を実行してもよい。
【０００９】
前記圧入工程において、前記組成物としてチオ硫酸塩を圧入してもよい。この場合、前記圧入工程を実行してから、前記海底地盤に存在するメタンと前記チオ硫酸塩に基づいて前記微生物が生成した硫酸イオンとが反応して生成された炭酸イオンと、前記海底地盤に存在するカルシウム塩とが反応することにより炭酸カルシウムが生成されるために要する時間が経過した後に、前記減圧工程を実行してもよい。
【００１０】
前記圧入工程において、前記微生物の栄養となる栄養塩をさらに圧入してもよい。また、前記圧入工程において、カルシウム塩をさらに圧入してもよい。
【００１１】
前記炭化水素回収方法は、前記組成物に基づいて二酸化炭素又は硫酸イオンを生成する微生物を前記生産井に圧入する微生物圧入工程をさらに有してもよい。前記微生物圧入工程を実行する前に、前記生産井から回収される水が存在する嫌気環境下で、前記生産井に圧入する微生物を培養する工程をさらに有してもよい。
【００１２】
前記減圧工程を実行した後に、前記圧入工程を再び実行してもよい。例えば、前記回収工程において単位時間内に回収される前記炭化水素の量が閾値未満である場合に、前記圧入工程を再び実行してもよい。
【００１３】
前記減圧工程は、前記海底地盤内の微生物を前記生産井の側に移動させるための第１減圧工程と、前記第１減圧工程の後に実行され、前記海底地盤内のメタンハイドレートを回収するための第２減圧工程と、を有してもよい。前記圧入工程において、前記生産井の内部をアルカリ性にした状態で前記組成物を圧入してもよい。
【００１４】
本発明の第２の態様の炭化水素回収システムは、炭酸カルシウムの析出を促進させるための二酸化炭素又は硫酸イオンを生成する微生物が存在する海底地盤に設けられた生産井から、炭化水素を含有する生産流体を回収する。この炭化水素回収システムは、前記微生物が二酸化炭素又は硫酸イオンの生成に用いる組成物を前記生産井に圧入する圧入部と、前記組成物を圧入した後に前記生産井内を減圧する減圧部と、前記生産井内を減圧した状態で炭化水素を回収する回収部と、を有する。
【発明の効果】
【００１５】
本発明によれば、炭化水素を回収する際に土砂が生産井に流入することを抑制できるという効果を奏する。
【図面の簡単な説明】
【００１６】
【図１】第１実施形態の炭化水素回収方法の概要について説明するための図である。
【図２】第１実施形態の炭化水素回収方法の概要について説明するための図である。
【図３】圧入装置の構成を示す図である。
【図４】炭化水素回収方法の処理の流れを示すフローチャートである。
【図５】第１の実験結果を示す図である。
【図６】第２の実験結果を示す図である。
【図７】第３の実験結果を示す図である。
【発明を実施するための形態】
【００１７】
［炭化水素回収方法の概要］
図１及び図２は、本実施形態の炭化水素回収方法の概要について説明するための図である。図１及び図２においては、炭化水素回収システム１及び生産井２が示されている。
【００１８】
詳細については後述するが、炭化水素回収システム１は、海底地盤に含まれている炭化水素として、例えばメタンハイドレートを回収するための装置である。炭化水素回収システム１は、例えば、メタンハイドレートを回収する船に搭載されている。
【００１９】
炭化水素回収システム１は、圧入装置１１、回収装置１２、圧力調整装置１３及び制御装置１４を備える。制御装置１４は、圧入装置１１、回収装置１２及び圧力調整装置１３を制御するコンピュータである。制御装置１４は、記憶媒体に記憶されたプログラムを実行することにより、又は作業員の操作に基づいて、炭化水素を回収するための処理を実行する。
【００２０】
生産井２は、海底地盤内のメタンハイドレート層に埋蔵されたメタンハイドレートを回収するための井戸である。生産井２は、海底地盤に含まれる土砂が生産井２に流れ込むことを防ぐために用いられる組成物を圧入するための圧入管２１、メタンハイドレートを回収するための回収管２２、及び開口部２３を有する。
【００２１】
本実施形態の炭化水素回収方法においては、海底地盤に含まれる土砂が生産井２に流れ込むことを防ぐために用いられる組成物として、炭酸カルシウムの析出を促進させるための二酸化炭素又は硫酸イオンを生成する微生物が二酸化炭素又は硫酸イオンの生成に用いる組成物を用いる点に特徴がある。このようにすることで、図１及び図２に示すメタンハイドレート層における開口部２３の近傍の領域ａの土砂を固化させることができるので、メタンハイドレートを回収中に土砂が生産井２に流入することを抑制することが可能になる。
【００２２】
＜第１実施形態＞
［炭化水素回収システム１の構成］
図３は、第１実施形態に係る圧入装置１１の構成を示す図である。以下、図１から図３を参照しながら、炭化水素回収システム１が炭化水素を回収する方法について説明する。
【００２３】
圧入装置１１は、図１に示すように、メタンハイドレートを回収する前に、生産井２に土砂が流れ込むことを防ぐために必要な組成物を、圧入管２１を介して生産井２の中に圧入するための装置である。生産井２に土砂が流れ込むことを防ぐために必要な組成物は、炭酸カルシウムの析出を促進させるための二酸化炭素を生成する微生物による二酸化炭素の生成に用いられる組成物である。
【００２４】
第１実施形態において使用される微生物は、尿素を加水分解するウレアーゼ活性を有する微生物である。この場合、圧入管２１を介して圧入される組成物は尿素である。圧入装置１１は、尿素とともに、炭酸カルシウムの生成に必要なカルシウム塩を含む組成物をさらに圧入してもよい。カルシウム塩を含む組成物は、例えば塩化カルシウム、酢酸カルシウム、又は硝酸カルシウムである。また、圧入装置１１は、微生物が吸収することにより微生物の栄養となり、微生物を活性化させる栄養塩をさらに圧入してもよい。このように圧入装置１１が栄養塩を圧入することで、微生物の栄養が乏しい海底地盤においても微生物が尿素を加水分解することが可能になる。
【００２５】
図３に示すように、圧入装置１１は、尿素タンク１１１と、カルシウム塩タンク１１２と、栄養塩タンク１１３と、バルブ１１４と、バルブ１１５と、バルブ１１６と、ポンプ１１７とを有する。尿素タンク１１１は、生産井２に圧入する尿素を貯蔵するためのタンクである。カルシウム塩タンク１１２は、生産井２に圧入するカルシウム塩を貯蔵するためのタンクである。栄養塩タンク１１３は、生産井２に圧入する栄養塩を貯蔵するためのタンクである。
【００２６】
バルブ１１４は、制御装置１４の制御に基づいて、尿素タンク１１１に貯蔵された尿素を生産井２に圧入する量を調整するためのバルブである。バルブ１１５は、制御装置１４の制御に基づいて、カルシウム塩タンク１１２に貯蔵されたカルシウム塩を生産井２に圧入する量を調整するためのバルブである。バルブ１１６は、制御装置１４の制御に基づいて、栄養塩タンク１１３に貯蔵された栄養塩を生産井２に圧入する量を調整するためのバルブである。ポンプ１１７は、尿素、カルシウム塩及び栄養塩を生産井２に圧入するためのポンプである。
【００２７】
回収装置１２は、生産井２からメタンハイドレートを回収するための装置であり、メタンハイドレートを吸引するためのポンプ（不図示）を有している。回収装置１２は、制御装置１４の制御に基づいて、圧入装置１１が尿素を圧入してから所定の時間が経過した後に、メタンハイドレートの回収を開始する。所定の時間は、例えば、海底地盤に存在するカルシウム塩とウレアーゼ活性を有する微生物が尿素を加水分解して生成される二酸化炭素とが反応することにより炭酸カルシウムが析出するために要する時間である。
【００２８】
このようにすることで、回収装置１２は、メタンハイドレート層における生産井２の近傍の領域ａの土砂が固化した状態でメタンハイドレートを回収できる。その結果、回収装置１２が付近がメタンハイドレートを回収している間に土砂が生産井２に流れ込まないので、メタンハイドレートの回収効率を向上させることができる。
【００２９】
圧力調整装置１３は、制御装置１４の制御に基づいて、生産井２の内部の圧力を調整するための装置である。圧力調整装置１３は、例えば海底地盤に存在する微生物を生産井２の側に移動させるために生産井２の内部を減圧したり、メタンハイドレートを回収するために生産井２の内部を減圧したりする。
【００３０】
開口部２３は、生産井２の壁面における圧入管２１の先端付近の位置に設けられたメッシュ状の領域である。圧入管２１を介して圧入された尿素は、回収管２２から海底地盤へと圧入され、海底地盤内の微生物に吸収される。開口部２３は、生産井２の周辺の海底地盤において透水性が高い部位に設けられていることが好ましい。このようにすることで、土砂が生産井２に流入する確率が高い地盤に優先的に尿素を圧入することができるので、土砂が生産井２に流入する確率が高い地盤を効率良く固化させることができる。
【００３１】
［炭酸カルシウムが析出する原理］
以下、生産井２に尿素を圧入することにより炭酸カルシウムが析出する原理について説明する。
【００３２】
ウレアーゼ活性を有する微生物は、以下の式（１）で表される反応により尿素を加水分解して二酸化炭素を生成する。
ＮＨ２−ＣＯ−ＮＨ２＋２Ｈ２Ｏ  →  ２ＮＨ３＋ＣＯ２  （１）
【００３３】
二酸化炭素が生成されると、以下の式（２）で表される反応により炭酸イオンが生成される。
ＣＯ２＋Ｈ２Ｏ  →  ＣＯ３２−＋２Ｈ＋  （２）
【００３４】
炭酸イオンが生成されると、海底地盤に含まれていたカルシウム塩又は圧入装置１１により圧入されたカルシウム塩と炭酸イオンとが式（３）で表されるように反応して、炭酸カルシウムが析出する。海底地盤に炭酸カルシウムが析出することにより領域ａの土砂が固化するので、海底地盤内の土砂が生産井２に流れ込むことを防止できる。
Ｃａ２＋＋ＣＯ３２−  →  ＣａＣＯ３  （３）
【００３５】
［海底地盤の固化を促進するための方法］
炭化水素回収方法においては、海底地盤の固化を促進するために、以下の工程を実行してもよい。
【００３６】
（１）栄養塩の圧入
炭化水素回収方法は、微生物による尿素の加水分解を活性化させるために、微生物の栄養となる栄養塩を圧入する工程をさらに有してもよい。栄養塩は、例えば酵母エキスである。尿素を加水分解する能力が高い微生物に適した栄養塩を圧入することで、尿素を加水分解する能力が高い微生物を優先的に活性化させる優先化を実現することができる。尿素を加水分解する能力が高い微生物を優先化することで、微生物が生成する二酸化炭素の量が増えるので、炭酸カルシウムの析出量が増加する。
【００３７】
なお、炭化水素回収方法は、圧入する栄養塩の量に対応する量のカルシウム塩を圧入する工程をさらに有してもよい。このようにすることで、栄養塩の圧入によって増加した二酸化炭素を最大限に活用して炭酸カルシウムを析出させることが可能になる。
【００３８】
（２）微生物の圧入
炭化水素回収方法は、炭酸カルシウムの析出に用いられる二酸化炭素の量を増やすために、ウレアーゼ活性を有する微生物を圧入する微生物圧入工程をさらに有してもよい。海底地盤内で尿素を加水分解できる微生物を圧入するために、炭化水素回収方法は、微生物圧入工程の前に実行される、生産井２から回収される水が存在する嫌気環境下で、生産井２に圧入する微生物を培養する工程をさらに有してもよい。微生物を培養する工程においては、海底地盤における活性度が高い微生物と同じ遺伝子情報を有する微生物を優先的に培養する。このようにして培養した微生物を生産井２に圧入することで、優先化された微生物による二酸化炭素の生成量が増加し、炭酸カルシウムの析出量が増加する。
【００３９】
なお、炭化水素回収方法は、圧入する微生物の量に対応する量のカルシウム塩を圧入する工程をさらに有してもよい。このようにすることで、微生物の圧入によって増加した二酸化炭素を最大限に活用して炭酸カルシウムを析出させることが可能になる。
【００４０】
［炭化水素回収方法の処理の流れ］
図４は、炭化水素回収方法の処理の流れを示すフローチャートである。まず、制御装置１４は、圧力調整装置１３を制御することにより、海底地盤内の微生物を生産井２の側に移動させるために生産井２の内部圧力を第１圧力Ｐ１に調整する工程を実行する（Ｓ１１）。生産井２の近傍の領域ａに存在する微生物の量が増えれば増えるほど、領域ａにおける炭酸カルシウムの析出量が増加する。したがって、生産井２の内部圧力を第１圧力Ｐ１にまで減圧することで、土砂が生産井２に流れ込むことをより効果的に防止することができる。
【００４１】
続いて、制御装置１４は、圧入装置１１を制御することにより、微生物を活性化させる栄養塩を生産井２に圧入する（Ｓ１２）。その後、制御装置１４は、微生物が栄養塩を吸収して活性化するまでに要する第１時間が経過するまで待機する（Ｓ１３）。
【００４２】
制御装置１４は、第１時間が経過すると（Ｓ１３においてＹＥＳ）、圧入装置１１を制御することにより、尿素及びカルシウム塩を生産井２に圧入する（Ｓ１４）。圧入装置１１が尿素及びカルシウム塩を圧入することにより、微生物が尿素の加水分解を行って二酸化炭素が生成され、圧入されたカルシウム塩と二酸化炭素に基づく炭酸イオンとが反応することにより炭酸カルシウムが析出する。制御装置１４は、圧入装置１１が圧入した尿素の量に対応する炭酸カルシウムが析出するために必要な第２時間が経過するまで待機する（Ｓ１５）。
【００４３】
制御装置１４は、第２時間が経過すると（Ｓ１５においてＹＥＳ）、圧力調整装置１３を制御して、生産井２の内部圧力を第２圧力Ｐ２に調整する（Ｓ１６）。第２圧力Ｐ２は、例えば第１圧力Ｐ１よりも低い圧力である。第２圧力Ｐ２が十分に低いことで、海底地盤内の高圧環境下に存在するメタンハイドレートが生産井２の側に移動する。制御装置１４は、生産井２の側に移動したメタンハイドレートを回収装置１２に回収させる（Ｓ１７）。
【００４４】
制御装置１４は、生産井２の内部圧力を第２圧力Ｐ２にまで減圧してメタンハイドレートの回収を開始した後に、メタンハイドレートの回収を終了するか否かを判定する（Ｓ１８）。作業員がメタンハイドレートの回収を終了する操作を行った場合（Ｓ１８においてＹＥＳ）、制御装置１４は、メタンハイドレートの回収を終了する。
【００４５】
制御装置１４は、メタンハイドレートの回収を終了する操作が行われていないと判定すると（Ｓ１８においてＮＯ）、単位時間内に回収されるメタンハイドレートの量が閾値以上であるか否かを判定する（Ｓ１９）。制御装置１４は、単位時間内に回収されるメタンハイドレートの量が閾値以上である場合は（Ｓ１９においてＹＥＳ）、ステップＳ１７に戻って、メタンハイドレートの回収を継続する。
【００４６】
一方、制御装置１４は、単位時間内に回収されるメタンハイドレートの量が閾値未満になった場合（Ｓ１９においてＮＯ）、ステップＳ１１に処理を戻してＳ１１からＳ１７までの処理を繰り返す。すなわち、制御装置１４は、栄養塩、尿素及びカルシウム塩を生産井２に圧入してからメタンハイドレートをさらに回収する。このようにすることで、海底地盤からメタンハイドレートが回収されて海底地盤に空洞が生じた時点で、海底地盤の固化を促進することができる。その結果、メタンハイドレートの回収が進んだ後にも、土砂が生産井２に流入してしまうことを予防できる。
【００４７】
なお、ステップＳ１９において、単位時間内に回収されるメタンハイドレートの量が閾値未満になった場合に、制御装置１４は、ステップＳ１１ではなく、ステップＳ１４に戻り、尿素を圧入してもよい。
【００４８】
また、以上の炭化水素回収方法において、生産井２の内部をアルカリ性にした状態で尿素を圧入することが好ましい。このようにすることで、微生物が溶解して粘性を生じるので、微生物が存在する領域の周辺の粘度が向上し、出砂問題対策に好適である。
【００４９】
［検証実験１］
図５は、栄養塩として酵母エキスを使用することによる効果を確認するための第１の実験結果を示す図である。図５の横軸は、ウレアーゼ活性を有する微生物を培養した期間を示しており、縦軸は、微生物によって生成されたアンモニウムイオン濃度を示している。図５の破線は、微生物に尿素のみを与えた場合にアンモニウムイオン濃度が変化する様子を示しており、図５の実線は、微生物に尿素とともに酵母エキスを与えた場合のアンモニウムイオン濃度が変化する様子を示している。尿素とともに酵母エキスを与えた場合には、２１日目から２８日目の間にアンモニウムイオン濃度が急増している。微生物が酵母エキスを吸収したことにより活性化され、アンモニウムイオンが生成されるまでの期間が短くなったと考えられる。
【００５０】
図６は、栄養塩として酵母エキスを使用することによる効果を確認するための第２の実験結果を示す図である。図６は、微生物を入れた培養液１Ｌあたりのウレアーゼ活性の度合いを示している。尿素とともに酵母エキスを与えることにより、ウレアーゼ活性度が大幅に上昇していることが確認できた。
【００５１】
図７は、栄養塩として酵母エキスを使用することによる効果を確認するための第３の実験結果を示す図である。図７の横軸は、微生物の培養時間を示しており、縦軸は、微生物の培養液内のカルシウムイオンの濃度を示している。図７の一点鎖線は、培養液として純水を用いた場合を示している。図７の破線は、培養液に尿素のみを加えた場合を示している。図７の実線は、培養液に尿素及び酵母エキスを加えた場合を示している。
【００５２】
培養液に尿素及び酵母エキスを加えた場合に、２４時間以内に急速にカルシウムイオン濃度が低下していることがわかる。カルシウムイオン濃度が低下したことから、炭酸カルシウムが析出したことが推定される。このように、尿素及び酵母エキスを微生物に与えることで、炭酸カルシウムの析出量が増えるということを確認できた。
【００５３】
［第１実施形態に係る炭化水素回収方法による効果］
以上説明したように、第１実施形態に係る炭化水素回収方法においては、炭酸カルシウムの析出を促進させるための二酸化炭素を生成する微生物が二酸化炭素の生成に用いる組成物として、尿素を生産井２に圧入する。そして、尿素を圧入した後に、生産井２の内部の圧力を下げた状態でメタンハイドレートを回収する。このように、尿素を生産井２に圧入することにより、ウレアーゼ活性を有する微生物が生成する二酸化炭素に基づいて、炭酸カルシウムが析出する。その結果、生産井２の付近の地盤が固化することで、土砂が生産井２に流入することを抑制できる。
【００５４】
＜第２実施形態＞
［第２実施形態の炭化水素回収方法の概要］
第１実施形態の炭化水素回収方法においては、微生物が二酸化炭素の生成に用いる組成物として尿素を圧入した。これに対して、第２実施形態の炭化水素回収方法においては、微生物が硫酸イオンの生成に用いる組成物としてチオ硫酸塩を圧入する工程を有する点で、第１実施形態の炭化水素回収方法と異なる。チオ硫酸塩は、例えばチオ硫酸ナトリウム又はチオ硫酸マグネシウムである。
【００５５】
第２実施形態の炭化水素回収方法において硫酸イオンを生成する微生物は、例えば、チオ硫酸塩が酸化した後に加水分解する硫黄酸化細菌（例えばComamonas thiooxydans等）である。この微生物は、式（４）で表される反応式により、チオ硫酸塩が酸化した後に加水分解して硫酸イオンを生成する。
Ｓ２Ｏ３２−＋２Ｏ２＋Ｈ２Ｏ→  ２ＳＯ４２−＋２Ｈ＋（４）
【００５６】
微生物が生成した硫酸イオンは、海底地盤に存在するメタンハイドレートに含まれるメタンと反応して、式（５）で表される反応式により炭酸イオンが生成される。
ＣＨ４＋ＳＯ４２−  →  ＨＣＯ３−＋ＨＳ−＋Ｈ２Ｏ  （５）
【００５７】
炭酸イオンが生成されると、海底地盤に含まれていたカルシウム塩又は圧入装置１１により圧入されたカルシウム塩と炭酸イオンとが、第１実施形態の説明において示した式（３）で表されるように反応して、炭酸カルシウムが析出する。その結果、第１実施形態の炭化水素回収方法と同様に、海底地盤に炭酸カルシウムが析出することにより、海底地盤内の土砂が生産井２に流れ込むことを防止できる。
【００５８】
第２実施形態の炭化水素回収方法においても、第１実施形態の炭化水素回収方法で海底地盤の固化を促進するための工程を実行することができる。具体的には、炭化水素回収方法は、微生物によるチオ硫酸塩の加水分解を促進させるために、微生物の栄養となる栄養塩を圧入する工程をさらに有してもよい。チオ硫酸塩を加水分解する能力が高い微生物を優先化することにより、微生物が生成する硫酸イオンの量が増え、硫酸イオンの量が増えることで炭酸イオンの量が増えるので、炭酸カルシウムの析出量が増加する。
【００５９】
なお、第２実施形態の炭化水素回収方法も、圧入する栄養塩の量に対応する量のカルシウム塩を圧入する工程をさらに有してもよい。このようにすることで、栄養塩の圧入によって増加した炭酸イオンを最大限に活用して炭酸カルシウムを析出させることが可能になる。
【００６０】
また、第２実施形態の炭化水素回収方法は、炭酸カルシウムの析出に用いられる二酸化炭素の量を増やすために、チオ硫酸塩を加水分解させて硫酸イオンを生成することができる微生物を圧入する微生物圧入工程をさらに有してもよい。海底地盤内でチオ硫酸塩を加水分解することができる微生物を圧入するために、第２実施形態の炭化水素回収方法は、微生物圧入工程の前に実行される、生産井２から回収される水が存在する嫌気環境下で、生産井２に圧入する微生物を培養する工程をさらに有してもよい。このようにして培養した微生物を生産井２に圧入することで、微生物による硫酸イオンの生成量が増加し、炭酸カルシウムの析出量が増加する。
【００６１】
なお、以上の炭化水素回収方法において、生産井２の内部をアルカリ性にした状態でチオ硫酸塩を圧入することが好ましい。このようにすることで、微生物が溶解して粘性を生じるので、微生物が存在する領域の周辺の粘度を向上させるので、出砂問題対策に好適である。
【００６２】
［第２実施形態の炭化水素回収方法による効果］
以上説明したように、第２実施形態の炭化水素回収方法においては、炭酸カルシウムの析出を促進させるための硫酸イオンを生成する微生物が硫酸イオンの生成に用いる組成物として、チオ硫酸塩を生産井２に圧入する。そして、チオ硫酸塩を圧入した後に、生産井２の内部の圧力を下げた状態でメタンハイドレートを回収する。このように、チオ硫酸塩を生産井２に圧入することにより、微生物がチオ硫酸塩を加水分解して生成した硫酸イオンに基づいて、炭酸カルシウムが析出する。その結果、生産井２の付近の地盤が固化することで、土砂が生産井２に流入することを抑制できる。
【００６３】
＜第３実施形態＞
第１実施形態の炭化水素生産方法においては、尿素を加水分解するウレアーゼ活性を有する微生物を使用し、第２実施形態の炭化水素生産方法においては、チオ硫酸塩が酸化した後に加水分解する微生物を使用したが、第３実施形態の炭化水素生産方法は、これらの複数の微生物を組み合わせて使用する点で、第１実施形態及び第２実施形態の炭化水素生産方法と異なる。
【００６４】
メタンハイドレートの回収が進んでおらず、海底地盤が初期の状態である間は、海底地盤に生息しているチオ硫酸塩が酸化した後に加水分解する微生物を有効活用できると考えられる。一方、メタンハイドレートの回収が進み、圧力損失や出砂が懸念される段階で、尿素を圧入して、ウレアーゼ活性を有する微生物による固化を促進することが考えられる。
【００６５】
そこで、第３実施形態の炭化水素生産方法においては、チオ硫酸塩が酸化した後に加水分解する微生物により土砂を固化させた後にメタンハイドレートの回収を開始し、メタンハイドレートの回収が進んだ後に、尿素を加水分解するウレアーゼ活性を有する微生物により土砂を固化する。このように、生産井２の周辺の状況に応じて最適な微生物を優先化することにより、効率良く土砂を固化しつつメタンハイドレートを回収することが可能になる。
【００６６】
さらに、事前に生産井２の付近の海底地盤に存在する微生物の種類及び量を調査し、存在する微生物の種類及び量に基づいて、圧入する組成物の種類及び量を決定してもよい。例えば、ウレアーゼ活性を有する微生物が存在する場合には尿素を優先的に圧入し、硫黄酸化細菌が存在する場合にはチオ硫酸塩を優先的に圧入することで、海底地盤に存在する微生物を効果的に活性化させることができる。
また、事前に調査した結果に基づいて、必要な微生物を培養し、培養した微生物を圧入してもよい。このようにすることで、海底地盤内の微生物の状況を最適化することができる。
【００６７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６８】
１  炭化水素回収システム
２  生産井
１１  圧入装置
１２  回収装置
１３  圧力調整装置
１４  制御装置
２１  圧入管
２２  回収管
２３  開口部
１１１  尿素タンク
１１２  カルシウム塩タンク
１１３  栄養塩タンク
１１４  バルブ
１１５  バルブ
１１６  バルブ
【図１】
2019011612.tif 000003
【図２】
2019011612.tif 000004
【図３】
2019011612.tif 000005
【図４】
2019011612.tif 000006
【図５】
2019011612.tif 000007
【図６】
2019011612.tif 000008
【図７】
2019011612.tif 000009